(57)【要約】    【課題】伝送路を経由して有線接続若しくは無線接続された端末の間で映像信号及び／又は音声信号を送受信させるに必要とされるエラー訂正符号の計算を簡素化することにより、計算処理の高速化を図る。    【解決手段】第１端末伝送路Ｌ1を経由して有線接続された第１端末１及び制御端末３の間、第２端末伝送路Ｌ2を経由して有線接続された第２端末２及び制御端末の間でそれぞれ、映像信号及び／又は音声信号を送受信させるにあたり、当該信号を構成する伝送フレームが分割されたスロットに容易に嵌め込み可能なデータにのみエラー訂正符号の計算を行う。また、第１端末伝送路及び第２端末伝送路の各伝送路の線路上に同一のデータが連続した場合において、エラーの訂正能力を高める。  【選択図】図１
2008011368.tif 000002
【特許請求の範囲】
【請求項１】
第１端末マイク（１０１）、第１端末スピーカ（１０２）及び／又はカメラ（１０４）を有する第１端末（１）と、前記第１端末からの呼び出しが報知され、前記呼び出しに応答して通話を成立させるための音声信号を入出力する第２端末マイク（２００）、第２端末スピーカ（２０１）及び／又は前記第１端末のカメラにて撮像された映像信号を出画するためのモニタ（２０４）を有する第２端末（２）と、有線若しくは無線の第１端末伝送路（Ｌ1）及び第２端末伝送路（Ｌ2）を経由してそれぞれ接続された前記第１端末及び前記第２端末を制御するための制御端末（３）とを設け、
前記第１端末は、前記第１端末伝送路を経由して前記制御端末に伝送される前記映像信号及び／又は前記音声信号に混入されるノイズ等の符号誤りを訂正するための符号を付与するエラー訂正符号化回路（１０７）と、前記第１端末伝送路を経由して前記制御端末から伝送されてくる前記音声信号に混入されるノイズ等の符号誤りを訂正するためのエラー訂正復号化回路（１０８）とを備え、
前記制御端末は、前記第１端末伝送路を経由して前記第１端末に伝送される前記音声信号に混入されるノイズ等の符号誤りを訂正するための符号、前記第２端末伝送路を経由して前記第２端末に伝送される前記映像信号及び／又は前記音声信号に混入されるノイズ等の符号誤りを訂正するための符号をそれぞれ付与するエラー訂正符号化回路（３０２）と、前記第１端末伝送路を経由して前記第１端末から伝送されてくる前記映像信号及び／又は前記音声信号に混入されるノイズ等の符号誤り、前記第２端末伝送路を経由して前記第２端末から伝送されてくる前記音声信号に混入されるノイズ等の符号誤りをそれぞれ訂正するためのエラー訂正復号化回路（３０３）とを備え、
前記第２端末は、前記第２端末伝送路を経由して前記制御端末に伝送される前記音声信号に混入されるノイズ等の符号誤りを訂正するための符号を付与するエラー訂正符号化回路（２０７）と、前記第２端末伝送路を経由して前記制御端末から伝送されてくる前記映像信号及び／又は前記音声信号に混入されるノイズ等の符号誤りを訂正するためのエラー訂正復号化回路（２０８）とを備え、
前記エラー訂正符号化回路及び前記エラー訂正復号化回路はそれぞれ、前記符号誤りの訂正の計算対象を、前記各伝送路のフレーム全体から前記映像信号及び／又は前記音声信号が割り当てられるスロットに分割したことを特徴とするインターホン装置。
【請求項２】
前記各伝送路は、前記映像信号及び／又は前記音声信号が割り当てられるスロットがフレーム分割されたことを特徴とする請求項１記載のインターホン装置。
【請求項３】
前記第１端末は、前記第１端末伝送路の線路上に同一のデータが連続した場合に、前記連続データによる直流分の発生を防止させる及びクロックの再生を可能にするための符号化器（１０９ａ）及び復号化器（１０９ｂ）を備え、
前記制御端末は、前記第１端末伝送路及び／又は前記第２端末伝送路の線路上に同一のデータが連続した場合に、前記連続データによる直流分の発生を防止させる及びクロックの再生を可能にするための符号化器（３０４ａ）及び復号化器（３０４ｂ）を備え、
前記第２端末は、前記第２端末伝送路の線路上に同一のデータが連続した場合に、前記連続データによる直流分の発生を防止させる及びクロックの再生を可能にするための符号化器（２０９ａ）及び復号化器（２０９ｂ）を備えたことを特徴とする請求項１又は請求項２記載のインターホン装置。
【請求項４】
前記符号化器は、４ビットの入力を前記４ビットの独立したシリアル信号に割り当てる４Ｂ５Ｂ符号化器、５ビットの入力を前記５ビットの独立したシリアル信号に割り当てる５Ｂ６Ｂ符号化器、及び８ビットの入力を前記８ビットの独立したシリアル信号に割り当てる８Ｂ１０Ｂ符号化器のうち何れか１の当該符号化器であることを特徴とする請求項３記載のインターホン装置。
【請求項５】
前記独立したシリアル信号に割り当てることにより、前記符号化器、前記復号化器は擬似ランダム化によってバースト誤りをランダム誤りに変換し、エラーの訂正能力を高めるためのインターリーバ機能を有することを特徴とする請求項４記載のインターホン装置。
【発明の詳細な説明】
【技術分野】
【０００１】
本発明はインターホン装置に係り、特に、伝送路を経由して有線接続若しくは無線接続された端末の間で映像信号及び／又は音声信号を送受信させるにあたり、当該信号を構成する伝送フレームにエラー訂正符号を付与したインターホン装置に関する。
【背景技術】
【０００２】
従来から、この種のインターホン装置として、伝送信号のフレーム内に同期信号を格納する領域を設けて、同期信号をデータとして伝送することにより、複数のデータ同期信号を同時に伝送し得る同期式データ伝送方式が開示されている（例えば、特許文献１を参照。）
この同期式データ伝送方式によれば、周期の一定したフレームに、映像、音声等の同期信号を上り、下りフレーム内の同期情報というデータに置換して伝送し、再生側においては、受信した同期情報から必要な同期データを取り出して映像、音声等の同期信号とできることから、複数のデータ同期信号を一度に同時伝送することができる。
【０００３】
【特許文献１】特開２００１−２８５２３５号公報（段落番号「００２１」乃至「００３７」、第１図乃至第４図）
【発明の開示】
【発明が解決しようとする課題】
【０００４】
背景技術に記載した特許文献１の同期式データ伝送方式において、伝送路を経由して接続された端末の間で信号を送受信させるにあたり、当該信号を構成する伝送フレームのスロットに映像、音声等のデータの嵌め込みを行うためには、データを嵌め込む毎にフレーム全体のＥＣＣ(Error Correcting Code)を再計算する必要があり、信号処理に煩雑さを有していた。
【０００５】
本発明は、この難点を解消するためになされたもので、伝送路を経由して有線接続若しくは無線接続された端末の間で映像信号及び／又は音声信号を送受信させるに必要とされるエラー訂正符号の計算を簡素化することにより、計算処理の高速化が図られたインターホン装置を提供することを目的としている。
【課題を解決するための手段】
【０００６】
前述の目的を達成するため、本発明の第１の態様であるインターホン装置は、第１端末マイク、第１端末スピーカ及び／又はカメラを有する第１端末と、第１端末からの呼び出しが報知され、呼び出しに応答して通話を成立させるための音声信号を入出力する第２端末マイク、第２端末スピーカ及び／又は第１端末のカメラにて撮像された映像信号を出画するためのモニタを有する第２端末と、有線若しくは無線の第１端末伝送路及び第２端末伝送路を経由してそれぞれ接続された第１端末及び第２端末を制御するための制御端末とを設けたものである。第１端末は、第１端末伝送路を経由して制御端末に伝送される映像信号及び／又は音声信号に混入されるノイズ等の符号誤りを訂正するための符号を付与するエラー訂正符号化回路と、第１端末伝送路を経由して制御端末から伝送されてくる音声信号に混入されるノイズ等の符号誤りを訂正するためのエラー訂正復号化回路とを備えたものである。制御端末は、第１端末伝送路を経由して第１端末に伝送される音声信号に混入されるノイズ等の符号誤りを訂正するための符号、第２端末伝送路を経由して第２端末に伝送される映像信号及び／又は音声信号に混入されるノイズ等の符号誤りを訂正するための符号をそれぞれ付与するエラー訂正符号化回路と、第１端末伝送路を経由して第１端末から伝送されてくる映像信号及び／又は音声信号に混入されるノイズ等の符号誤り、第２端末伝送路を経由して第２端末から伝送されてくる音声信号に混入されるノイズ等の符号誤りをそれぞれ訂正するためのエラー訂正復号化回路とを備えたものである。第２端末は、第２端末伝送路を経由して制御端末に伝送される音声信号に混入されるノイズ等の符号誤りを訂正するための符号を付与するエラー訂正符号化回路と、第２端末伝送路を経由して制御端末から伝送されてくる映像信号及び／又は音声信号に混入されるノイズ等の符号誤りを訂正するためのエラー訂正復号化回路とを備えたものである。エラー訂正符号化回路及びエラー訂正復号化回路はそれぞれ、符号誤りの訂正の計算対象を、各伝送路のフレーム全体から映像信号及び／又は音声信号が割り当てられるスロットに分割したものである。
【０００７】
また、本発明の第２の態様であるインターホン装置は、本発明の第１の態様において、各伝送路は、映像信号及び／又は音声信号が割り当てられるスロットがフレーム分割されたものである。
【０００８】
また、本発明の第３の態様であるインターホン装置は、本発明の第１の態様又は第２の態様において、第１端末は、第１端末伝送路の線路上に同一のデータが連続した場合に、連続データによる直流分の発生を防止させる及びクロックの再生を可能にするための符号化器及び復号化器を備えたものである。制御端末は、第１端末伝送路及び／又は第２端末伝送路の線路上に同一のデータが連続した場合に、連続データによる直流分の発生を防止させる及びクロックの再生を可能にするための符号化器及び復号化器を備えたものである。第２端末は、第２端末伝送路の線路上に同一のデータが連続した場合に、連続データによる直流分の発生を防止させる及びクロックの再生を可能にするための符号化器及び復号化器を備えたものである。
【０００９】
また、本発明の第４の態様であるインターホン装置は、第３の態様において、符号化器は、４ビットの入力を４ビットの独立したシリアル信号に割り当てる４Ｂ５Ｂ符号化器、５ビットの入力を５ビットの独立したシリアル信号に割り当てる５Ｂ６Ｂ符号化器、及び８ビットの入力を８ビットの独立したシリアル信号に割り当てる８Ｂ１０Ｂ符号化器のうち何れか１の当該符号化器である。
【００１０】
また、本発明の第５の態様であるインターホン装置は、本発明の第４の態様において、独立したシリアル信号に割り当てることにより、符号化器、復号化器は擬似ランダム化によってバースト誤りをランダム誤りに変換し、エラーの訂正能力を高めるためのインターリーバ機能を有するものである。
【発明の効果】
【００１１】
本発明のインターホン装置によれば、第１端末伝送路を経由して有線接続若しくは無線接続された第１端末及び制御端末の間、第２端末伝送路を経由して有線接続若しくは無線接続された第２端末及び制御端末の間でそれぞれ、映像信号及び／又は音声信号を送受信させるにあたり、当該信号を構成する伝送フレームが分割されたスロットに容易に嵌め込み可能なデータにのみエラー訂正符号の計算を行うことにより、フレーム全体のエラー訂正符号の再計算が不要となり、エラー訂正符号の計算を減らすことができ、計算処理の高速化が図られる。また、第１端末伝送路及び第２端末伝送路の各伝送路の線路上に同一のデータが連続した場合において、エラーの訂正能力を高めることができる。
【発明を実施するための最良の形態】
【００１２】
以下、本発明のインターホン装置を適用した最良の実施の形態例について、図面を参照して説明する。
【００１３】
図１は、本発明の実施例によるインターホン装置の具体的な構成を示すブロック図である。このインターホン装置には、例えば、住戸玄関に設置された玄関子機等の第１端末１と、住戸内に設置された居室親機等の第２端末２と、第１端末伝送路Ｌ1を経由して有線接続された第１端末１及び第２端末伝送路Ｌ2を経由して有線接続された第２端末２をそれぞれ制御するための制御端末３とが設けられている。
【００１４】
また、第１端末１には、呼出ボタン１００、マイク（以下、第１端末マイクという。）１０１、スピーカ（以下、第１端末スピーカという。）１０２、音声コーデック（以下、第１端末音声コーデックという。）１０３、カメラ１０４、映像エンコーダ１０５、フレーム組立／分解回路（以下、第１端末フレーム組立／分解回路という。）１０６、エラー訂正符号化回路（以下、第１端末エラー訂正符号化回路という。）１０７、エラー訂正復号化回路（以下、第１端末エラー訂正復号化回路という。）１０８、送受信回路（以下、第１端末送受信回路という。）１０９、及びＣＰＵ（以下、第１端末ＣＰＵという。）１１０が備えられている。
【００１５】
この第１端末１において、呼出ボタン１００は、当該第１端末の使用者、例えば、住戸玄関に居る来訪者が、第２端末２の使用者、例えば、住戸内に在室中の居住者を呼び出すために操作するものである。
【００１６】
第１端末マイク１０１は、呼出操作を行った来訪者が居住者との間で通話を成立させるにあたり、通話音声（送話音声）を入力するためのものである。この第１端末マイク１０１は、前述の通話機能のみならず、例えば、住戸玄関の様子を監視するための周囲環境音を集音することができる。
【００１７】
第１端末マイク１０１及び第１端末スピーカ１０２は、呼出操作を行った来訪者が居住者との間で通話を成立させるための通話音声（送話音声）を入出力するものであり、第１端末音声コーデック１０３は、第１端末マイク１０１に入力された通話音声（送話音声）のアナログ音声信号をアナログ／デジタル変換して第１端末フレーム組立／分解回路１０６に送出するとともに、第１端末フレーム組立／分解回路１０６を経由して伝送されてくる第１端末スピーカ１０２から出力させる通話音声（受話音声）のデジタル音声信号をデジタル／アナログ変換するためのものである。なお、第１端末マイク１０１は、前述の通話機能のみならず、例えば、住戸外（住戸玄関）の様子を監視するための周囲環境音を集音することができる。
【００１８】
カメラ１０４は、呼出操作を行った来訪者の映像や住戸外（住戸玄関）の周囲近傍の映像（監視映像）を撮像するためのものであり、映像エンコーダ１０５は、カメラ１０４にて撮像された映像のアナログ映像信号をアナログ／デジタル変換して、第１端末フレーム組立／分解回路１０６に送出するためのものである。なお、カメラ１０４としては、ＣＣＤ、ＣＭＯＳ等の各種の撮像素子が好適とされる。
【００１９】
第１端末フレーム組立／分解回路１０６は、呼出ボタン１００の操作を検出した第１端末ＣＰＵ１１０にて生成される呼出信号、第１端末音声コーデック１０３を経由してアナログ／デジタル変換されたデジタル音声信号、映像エンコーダ１０５を経由してアナログ／デジタル変換されたデジタル映像信号をそれぞれ、第１端末伝送路Ｌ1の線路上を伝送させる所定のフレームとなるように構成して第１端末エラー訂正符号化回路１０７に送出するとともに、第１端末エラー訂正復号化回路１０８を経由して伝送されてくる所定のフレーム構成の後述する応答信号、デジタル音声信号をそれぞれ分離して、応答信号は第１端末ＣＰＵ１１０に、デジタル音声信号は第１端末音声コーデック１０３に送出するためのものである。
【００２０】
第１端末エラー訂正符号化回路１０７は、第１端末伝送路Ｌ1を経由して制御端末３に伝送されるデジタル映像信号及びデジタル音声信号にそれぞれ混入されるノイズ等の符号誤りを訂正するための符号（以下、エラー訂正符号という。）を付与するものであり、第１端末エラー訂正復号化回路１０８は、第１端末伝送路Ｌ1を経由して制御端末３から伝送されてくるデジタル音声信号に混入されるノイズ等の符号誤りを訂正するためのものである。
【００２１】
第１端末送受信回路１０９は、第１端末エラー訂正符号化回路１０７から第１端末伝送路Ｌ1への信号伝送ライン、第１端末伝送路Ｌ1から第１端末エラー訂正復号化回路１０８への信号伝送ラインをそれぞれ形成するためのものであり、符号化器（以下、第１端末符号化器という。）１０９ａ及び復号化器（以下、第１端末復号化器という。）１０９ｂが備えられている。また、第１端末符号化器１０９ａ及び第１端末復号化器１０９ｂはそれぞれ、第１端末伝送路Ｌ1の線路上に同一のデータが連続した場合に、連続データによる直流分の発生を防止させる及びクロックの再生を可能にするためのものであり、後述するインターリーバ機能を有している。さらに、第１端末符号化器１０９ａは、４ビットの入力を４ビットの独立したシリアル信号に割り当てる４Ｂ５Ｂ符号化器、５ビットの入力を５ビットの独立したシリアル信号に割り当てる５Ｂ６Ｂ符号化器、及び８ビットの入力を８ビットの独立したシリアル信号に割り当てる８Ｂ１０Ｂ符号化器のうち何れか１の当該符号化器を適用することができる。
【００２２】
第１端末ＣＰＵ１１０は、来訪者による呼出操作を検出して、カメラ１０４及び映像エンコーダ１０５がそれぞれ能動（動作開始）となるように制御するとともに、制御端末３を経由して第２端末２から伝送されてくる応答信号を受信して、第１端末音声コーデック１０３が能動（動作開始）となるように制御するためのものである。
【００２３】
また、第２端末２には、マイク（以下、第２端末マイクという。）２００、スピーカ（以下、第２端末スピーカという。）２０１、音声コーデック（以下、第２端末音声コーデックという。）２０２、通話ボタン２０３、モニタ２０４、映像デコーダ２０５、フレーム組立／分解回路（以下、第２端末フレーム組立／分解回路という。）２０６、エラー訂正符号化回路（以下、第２端末エラー訂正符号化回路という。）２０７、エラー訂正復号化回路（以下、第２端末エラー訂正復号化回路という。）２０８、送受信回路（以下、第２端末送受信回路という。）２０９、及びＣＰＵ（以下、第２端末ＣＰＵという。）２１０が備えられている。
【００２４】
この第２端末２において、第２端末マイク２００及び第２端末スピーカ２０１は、後述する応答操作を行った居住者が来訪者との間で通話を成立させるための通話音声（送話音声）を入出力するものであり、第２端末音声コーデック２０２は、第２端末マイク２００に入力された通話音声（送話音声）のアナログ音声信号をアナログ／デジタル変換して第２端末フレーム組立／分解回路２０６に送出するとともに、第２端末フレーム組立／分解回路２０６を経由して伝送されてくる第２端末スピーカ２０１から出力させる通話音声（受話音声）のデジタル音声信号をデジタル／アナログ変換するためのものである。なお、第２端末スピーカ２０１は、前述の通話機能のみならず、例えば、来訪者による第１端末１からの呼び出しがある旨の内容を、所定のパターンの呼出音や音声メッセージ等を放音させて呼出報知することができる。
【００２５】
通話ボタン２０３は、第２端末マイク２００及び第２端末スピーカ２０１をそれぞれ使用した通話を成立させるにあたり、居住者が応答操作を行うためのものである。なお、通話ボタン２０３には、前述の応答機能の他に、通常、成立されていた通話を終了させるための終話機能（詳述せず。）が備えられている。
【００２６】
モニタ２０４は、第１端末１のカメラ１０４にて撮像された映像を出画するためのものであり、映像デコーダ２０５は、制御端末３を経由して第１端末１から伝送されてくるデジタル映像信号をデジタル／アナログ変換して、モニタ２０４に送出するためのものである。
【００２７】
第２端末フレーム組立／分解回路２０６は、第２端末音声コーデック２０２を経由してアナログ／デジタル変換されたデジタル音声信号、通話ボタン２０３の応答操作を検出した第２端末ＣＰＵ２１０にて生成される応答信号をそれぞれ、第２端末伝送路Ｌ2の線路上を伝送させる所定のフレームとなるように構成して第２端末送受信回路２０９に送出するとともに、第２端末送受信回路２０９を経由して伝送されてくる所定のフレーム構成の呼出信号、デジタル映像信号及びデジタル音声信号をそれぞれ分離して、呼出信号は第２端末ＣＰＵ２１０に、デジタル映像信号は映像デコーダ２０５に、デジタル音声信号は第２端末音声コーデック２０２に送出するためのものである。
【００２８】
第２端末エラー訂正符号化回路２０７は、第２端末伝送路Ｌ2を経由して制御端末３に伝送されるデジタル音声信号に混入されるノイズ等の符号誤りを訂正するための符号、すなわち、エラー訂正符号を付与するものであり、第２端末エラー訂正復号化回路２０８は、第２端末伝送路Ｌ2を経由して制御端末３から伝送されてくるデジタル映像信号及びデジタル音声信号にそれぞれ混入されるノイズ等の符号誤りを訂正するためのものである。
【００２９】
第２端末送受信回路２０９は、第２端末エラー訂正符号化回路２０７から第２端末伝送路Ｌ2への信号伝送ライン、第２端末伝送路Ｌ2から第２端末エラー訂正復号化回路２０８への信号伝送ラインをそれぞれ形成するためのものであり、符号化器（以下、第２端末符号化器という。）２０９ａ及び復号化器（以下、第２端末復号化器という。）２０９ｂが備えられている。また、第２端末符号化器２０９ａ及び第２端末復号化器２０９ｂはそれぞれ、第２端末伝送路Ｌ2の線路上に同一のデータが連続した場合に、連続データによる直流分の発生を防止させる及びクロックの再生を可能にするためのものであり、後述するインターリーバ機能を有している。さらに、第２端末符号化器２０９ａは、４ビットの入力を４ビットの独立したシリアル信号に割り当てる４Ｂ５Ｂ符号化器、５ビットの入力を５ビットの独立したシリアル信号に割り当てる５Ｂ６Ｂ符号化器、及び８ビットの入力を８ビットの独立したシリアル信号に割り当てる８Ｂ１０Ｂ符号化器のうち何れか１の当該符号化器を適用することができる。
【００３０】
第２端末ＣＰＵ２１０は、制御端末３を経由して第１端末１から伝送されてくる呼出信号を受信して、モニタ２０４、映像デコーダ２０５がそれぞれ能動（動作開始）となるように制御するとともに、居住者による通話ボタン２０３の応答操作を検出して、第２端末音声コーデック２０２が能動（動作開始）となるように制御するためのものである。
【００３１】
さらに、制御端末３には、マルチプレクサ３００、フレーム組立／分解回路（以下、制御端末フレーム組立／分解回路という。）３０１、エラー訂正符号化回路（以下、制御端末エラー訂正符号化回路という。）３０２、エラー訂正復号化回路（以下、制御端末エラー訂正復号化回路という。）３０３、送受信回路（以下、制御端末送受信回路という。）３０４、及びＣＰＵ（以下、制御端末ＣＰＵという。）３０５が備えられている。
【００３２】
この制御端末３において、マルチプレクサ３００は、第１端末伝送路Ｌ1を経由して第１端末１から伝送されてくる所定のフレームに嵌め込まれた呼出信号、デジタル映像信号及びデジタル音声信号をそれぞれ抜き出し、第２端末伝送路Ｌ2を経由して第２端末２に送信する伝送フレームに嵌め込むとともに、第２端末伝送路Ｌ2を経由して第２端末２から伝送されてくる所定のフレームに嵌め込まれた応答信号及びデジタル音声信号をそれぞれ抜き出し、第１端末伝送路Ｌ1を経由して第１端末１に送信する伝送フレームに嵌め込むためのものである。
【００３３】
制御端末フレーム組立／分解回路３０１は、制御端末ＣＰＵ３０５を経由して送受信される呼出信号、及びマルチプレクサ３００を経由して伝送されてくるデジタル映像信号、デジタル音声信号をそれぞれ、第２端末伝送路Ｌ2の線路上を伝送させる所定のフレームに嵌め込み制御端末エラー訂正符号化回路３０２に送出するとともに、制御端末ＣＰＵ３０５を経由して送受信される応答信号、及びマルチプレクサ３００を経由して伝送されてくるデジタル音声信号をそれぞれ、第１端末伝送路Ｌ1の線路上を伝送させる所定のフレームに嵌め込み制御端末エラー訂正符号化回路３０２に送出し、さらには、制御端末エラー訂正復号化回路３０３を経由して伝送されてくる第１端末１からの所定のフレームに嵌め込まれた呼出信号、デジタル映像信号及びデジタル音声信号と、同様に制御端末エラー訂正復号化回路３０３を経由して伝送されてくる第２端末２からの所定のフレームに嵌め込まれた応答信号及びデジタル音声信号をそれぞれ分離して、呼出信号、応答信号は制御端末ＣＰＵ３０５に、デジタル映像信号、デジタル音声信号はマルチプレクサ３００に送出するためのものである。
【００３４】
制御端末エラー訂正符号化回路３０２は、第１端末伝送路Ｌ1を経由して第１端末１に伝送されるデジタル音声信号及び第２端末伝送路Ｌ2を経由して第２端末２に伝送されるデジタル映像信号、デジタル音声信号にそれぞれ混入されるノイズ等の符号誤りを訂正するための符号、すなわち、エラー訂正符号を付与するものであり、制御端末エラー訂正復号化回路３０３は、第１端末伝送路Ｌ1を経由して第１端末１から伝送されてくるデジタル映像信号及びデジタル音声信号にそれぞれ混入されるノイズ等の符号誤りと、第２端末伝送路Ｌ2を経由して第２端末２から伝送されてくるデジタル音声信号に混入されるノイズ等の符号誤りとをそれぞれ訂正するためのものである。
【００３５】
制御端末送受信回路３０４は、制御端末エラー訂正符号化回路３０３から第１端末伝送路Ｌ1又は第２端末伝送路Ｌ2への信号伝送ライン、第１端末伝送路Ｌ1又は第２端末伝送路Ｌ2から制御端末エラー訂正復号化回路３０３への信号伝送ラインをそれぞれ形成するためのものであり、符号化器（以下、制御端末符号化器という。）３０４ａ及び復号化器（以下、制御端末復号化器という。）３０４ｂが備えられている。また、制御端末符号化器３０４ａ及び制御端末復号化器３０４ｂはそれぞれ、第１端末伝送路Ｌ1又は第２端末伝送路Ｌ2の線路上に同一のデータが連続した場合に、連続データによる直流分の発生を防止させる及びクロックの再生を可能にするためのものであり、後述するインターリーバ機能を有している。さらに、制御端末符号化器３０４ａは、４ビットの入力を４ビットの独立したシリアル信号に割り当てる４Ｂ５Ｂ符号化器、５ビットの入力を５ビットの独立したシリアル信号に割り当てる５Ｂ６Ｂ符号化器、及び８ビットの入力を８ビットの独立したシリアル信号に割り当てる８Ｂ１０Ｂ符号化器のうち何れか１の当該符号化器を適用することができる。
【００３６】
制御端末ＣＰＵ３０５は、第１端末伝送路Ｌ1を経由して第１端末１から伝送されてくる所定のフレームに嵌め込まれた呼出信号、及び第２端末伝送路Ｌ2を経由して第２端末２から伝送されてくる所定のフレームに嵌め込まれた応答信号をそれぞれ送受信して、マルチプレクサ３００を制御するためのものである。
【００３７】
このように構成された本発明の実施例によるインターホン装置において、以下、具体的な動作について、図１及び図２をそれぞれ参照して説明する。なお、図２は、第１端末伝送路Ｌ1、第２端末伝送路Ｌ2の各伝送路をそれぞれ経由して送受信される信号のフレーム構成図である。
【００３８】
図１において、住戸玄関に居る人物、例えば、来訪者が、住戸内に在室中の居住者を呼び出すにあたり、第１端末１の呼出ボタン１００を操作すると、この呼出操作を検出した第１端末ＣＰＵ１１０にて、呼出コマンド、送信元である第１端末１を示す送信元アドレス、及び送信先である第２端末２を示す送信先アドレス等を付与した呼出信号Ｓ1が生成されるとともに、カメラ１０４、映像エンコーダ１０５がそれぞれ能動（動作開始）となるように制御される。また、カメラ１０４にて撮像された来訪者の映像や住戸玄関の周囲近傍の映像（監視映像）は、映像エンコーダ１０５を経由してデジタル映像信号Ｓ2にアナログ／デジタル変換された後、第１端末フレーム組立／分解回路１０６に送出される。
【００３９】
第１端末１の第１端末フレーム組立／分解回路１０６は、第１端末ＣＰＵ１１０からの呼出信号Ｓ1、及び映像エンコーダ１０５からのデジタル映像信号Ｓ2をそれぞれ、第１端末伝送路Ｌ1の線路上を伝送させる所定のフレームに組み立てた後、第１端末エラー訂正符号化回路１０７を経由して符号化信号（以下、第１端末符号化信号という。）Ｓ3を生成させる。具体的には、図２に示すように分割された８つのスロットを構成する制御データスロットＳＬ1と、映像データスロットＳＬ2と、２つの音声データスロットＳＬ3、ＳＬ4と、ＣＲＣ（Cyclic Redundancy Check）スロットＳＬ5と、３つのＥＣＣスロットＳＬ6、ＳＬ7、ＳＬ8とのうち、制御データスロットＳＬ1には、呼出信号Ｓ1を嵌め込む。また、映像データスロットＳＬ2には、デジタル映像信号Ｓ2を嵌め込む。また、制御データスロットＳＬ1、映像データスロットＳＬ2及び音声データスロットＳＬ3、ＳＬ4にそれぞれ対応したＣＲＣスロットＳＬ5には、ＣＲＣのパリティを嵌め込む。さらに、映像データスロットＳＬ2に対応したＥＣＣスロットＳＬ6には、エラー訂正符号のパリティを嵌め込む。この第１端末符号化信号Ｓ3は、第１端末エラー訂正符号化回路１０７から第１端末送受信回路１０９、第１端末伝送路Ｌ1、制御端末３の制御端末送受信回路３０４を経由して制御端末エラー訂正復号化回路３０３に伝送される。
【００４０】
制御端末３の制御端末エラー訂正復号化回路３０３は、第１端末伝送路Ｌ1を経由して第１端末１から伝送されてきた第１端末符号化信号Ｓ3を構成する制御データスロットＳＬ1に嵌め込まれている呼出信号Ｓ1を、ＣＲＣスロットＳＬ5に嵌め込まれているＣＲＣのパリティで復号化するとともに、同様に第１端末符号化信号Ｓ3を構成する映像データスロットＳＬ2に嵌め込まれているデジタル映像信号Ｓ2を、ＥＣＣスロットＳＬ6に嵌め込まれているエラー訂正符号で復号化することにより、デジタル映像信号Ｓ2にノイズ等の符号誤りが混入されている場合であっても、その符号誤りを容易に訂正することができる。また、制御端末フレーム組立／分解回路３０１は、制御端末エラー訂正復号化回路３０３を経由して復号化された第１端末符号化信号Ｓ3を、呼出信号Ｓ1及びデジタル映像信号Ｓ2にそれぞれ分離して、呼出信号Ｓ1は制御端末ＣＰＵ３０５に、デジタル映像信号Ｓ2はマルチプレクサ３００に送出するとともに、第１端末符号化信号Ｓ3を構成するＥＣＣスロットＳＬ6に嵌め込まれているエラー訂正符号を抜き出す。
【００４１】
制御端末３の制御端末ＣＰＵ３０５は、制御端末フレーム組立／分解回路３０１を経由して分離された呼出信号Ｓ1をもとに、来訪者による第１端末１からの呼び出しがあることを検出して、受信した呼出信号Ｓ1を制御端末フレーム組立／分解回路３０１に送出するとともに、マルチプレクサ３００を制御して、制御端末フレーム組立／分解回路３０１を経由して分離されたデジタル映像信号Ｓ2を当該制御端末フレーム組立／分解回路に送出する。
【００４２】
制御端末３の制御端末フレーム組立／分解回路３０１は、制御端末ＣＰＵ３０５からの呼出信号Ｓ1、及びマルチプレクサ３００からのデジタル映像信号Ｓ2をそれぞれ、第２端末伝送路Ｌ2の線路上を伝送させる所定のフレームに組み立てた後、制御端末エラー訂正符号化回路３０２を経由して符号化信号（以下、制御端末上り符号化信号という。）Ｓ4を生成させる。具体的には、図２に示すように分割された８つのスロットを構成する制御データスロットＳＬ1と、映像データスロットＳＬ2と、２つの音声データスロットＳＬ3、ＳＬ4と、ＣＲＣスロットＳＬ5と、３つのＥＣＣスロットＳＬ6、ＳＬ7、ＳＬ8とのうち、制御データスロットＳＬ1には、呼出信号Ｓ1を嵌め込む。また、映像データスロットＳＬ2には、デジタル映像信号Ｓ2を嵌め込む。また、ＣＲＣスロットＳＬ5には、ＣＲＣのパリティを嵌め込む。さらに、映像データスロットＳＬ2に対応したＥＣＣスロットＳＬ6には、前述の第１端末符号化信号Ｓ3を構成するＥＣＣスロットＳＬ6から抜き出したエラー訂正符号を嵌め込むことにより、フレーム全体のエラー訂正符号の再計算が不要となり、ＥＣＣスロットＳＬ6のみの計算で済むことから、エラー訂正符号の計算を減らすことができ、計算処理の高速化が図られる。この制御端末上り符号化信号Ｓ4は、制御端末エラー訂正符号化回路３０２から制御端末送受信回路３０４、第２端末伝送路Ｌ2、第２端末２の第２端末送受信回路２０９を経由して第２端末エラー訂正復号化回路２０８に伝送される。
【００４３】
第２端末２の第２端末エラー訂正復号化回路２０８は、第２端末伝送路Ｌ2を経由して制御端末３から伝送されてきた制御端末上り符号化信号Ｓ4を構成する制御データスロットＳＬ1に嵌め込まれている呼出信号Ｓ1を、ＣＲＣスロットＳＬ5に嵌め込まれているＣＲＣのパリティで復号化するとともに、同様に制御端末上り符号化信号Ｓ4を構成する映像データスロットＳＬ2に嵌め込まれているデジタル映像信号Ｓ2を、ＥＣＣスロットＳＬ6に嵌め込まれているエラー訂正符号で復号化することにより、デジタル映像信号Ｓ2にノイズ等の符号誤りが混入されている場合であっても、その符号誤りを容易に訂正することができる。また、第２端末フレーム組立／分解回路２０６は、第２端末エラー訂正復号化回路２０８を経由して復号化された制御端末上り符号化信号Ｓ4を、呼出信号Ｓ1及びデジタル映像信号Ｓ2にそれぞれ分離して、呼出信号Ｓ1は第２端末ＣＰＵ２１０に、デジタル映像信号Ｓ2は映像デコーダ２０５に送出する。
【００４４】
第２端末２の第２端末ＣＰＵ２１０は、第２端末フレーム組立／分解回路２０６を経由して分離された呼出信号Ｓ1をもとに、来訪者による第１端末１からの呼び出しがあることを検出して、所定のパターンの呼出音や音声メッセージ等を第２端末スピーカ２０１から放音させて呼出報知を行うとともに、モニタ２０４及び映像デコーダ２０５がそれぞれ能動（動作開始）となるように制御することにより、デジタル映像信号Ｓ2が映像デコーダ２０５を経由してデジタル／アナログ変換されたアナログ映像信号、すなわち、第１端末１のカメラ１０４にて撮像された来訪者の映像や住戸玄関の周囲近傍の映像（監視映像）を、フレーム毎にモニタ２０４に出画開始させることができる。なお、第２端末ＣＰＵ２１０は、来訪者による第１端末１からの呼び出しがある旨の文字メッセージや絵データ等をモニタ２０４に表示させることもできる。
【００４５】
また、前述までの説明では、制御端末３を経由して第１端末１から第２端末２に呼出信号Ｓ1及びデジタル映像信号Ｓ2をそれぞれ伝送させるにあたり、同一フレームの符号化信号Ｓ3、Ｓ4を適用したが、この態様に限定されるものではない。例えば、呼出信号Ｓ1について符号化させた符号化信号を最初に生成した後、次フレームの符号化信号として、デジタル映像信号Ｓ2について符号化させた符号化信号を生成し、フレーム毎に伝送させることもできる。
【００４６】
次に、第２端末２の第２端末スピーカ２０１から放音された所定のパターンの呼出音や音声メッセージ等、モニタ２０４に出画された映像をもとに、来訪者からの呼び出しがあることを当該来訪者の識別と併せて確認できた居住者が通話ボタン２０３を操作すると、この応答操作を検出した第２端末ＣＰＵ２１０にて、応答コマンド、送信元である第２端末２を示す送信元アドレス、及び送信先である第１端末１を示す送信先アドレス等を付与した応答信号Ｓ5が生成されるとともに、第２端末マイク２００に入力された居住者の通話音声（送話音声）が、第２端末ＣＰＵ２１０の制御により能動（動作開始）にされた第２端末音声コーデック２０２を経由してデジタル音声信号Ｓ6にアナログ／デジタル変換される。
【００４７】
第２端末２の第２端末フレーム組立／分解回路２０６は、第２端末ＣＰＵ２１０からの応答信号Ｓ5、及び第２端末音声コーデック２０２からのデジタル音声信号Ｓ6をそれぞれ、第２端末伝送路Ｌ2の線路上を伝送させる所定のフレームに組み立てた後、第２端末エラー訂正符号化回路２０７を経由して符号化信号（以下、第２端末符号化信号という。）Ｓ7を生成させる。具体的には、図２に示すように分割された８つのスロットを構成する制御データスロットＳＬ1と、映像データスロットＳＬ2と、２つの音声データスロットＳＬ3、ＳＬ4と、ＣＲＣスロットＳＬ5と、３つのＥＣＣスロットＳＬ6、ＳＬ7、ＳＬ8とのうち、制御データスロットＳＬ1には、応答信号Ｓ5を嵌め込む。また、下り方向の音声データスロットＳＬ4には、デジタル音声信号Ｓ6を嵌め込む。また、ＣＲＣスロットＳＬ5には、ＣＲＣのパリティを嵌め込む。さらに、音声データスロットＳＬ4に対応したＥＣＣスロットＳＬ8には、エラー訂正符号のパリティを嵌め込む。この第２端末符号化信号Ｓ7は、第２端末エラー訂正符号化回路２０７から第２端末送受信回路２０９、第２端末伝送路Ｌ2、制御端末３の制御端末送受信回路３０４を経由して制御端末エラー訂正復号化回路３０３に伝送される。
【００４８】
制御端末３の制御端末エラー訂正復号化回路３０３は、第２端末伝送路Ｌ2を経由して第２端末２から伝送されてきた第２端末符号化信号Ｓ7を構成する制御データスロットＳＬ1に嵌め込まれている応答信号Ｓ5を、ＣＲＣスロットＳＬ5に嵌め込まれているＣＲＣのパリティで復号化するとともに、同様に第２端末符号化信号Ｓ7を構成する音声データスロットＳＬ4に嵌め込まれているデジタル音声信号Ｓ6を、ＥＣＣスロットＳＬ8に嵌め込まれているエラー訂正符号で復号化することにより、デジタル音声信号Ｓ6にノイズ等の符号誤りが混入されている場合であっても、その符号誤りを容易に訂正することができる。また、制御端末フレーム組立／分解回路３０１は、制御端末エラー訂正復号化回路３０３を経由して復号化された第２端末符号化信号Ｓ7を、応答信号Ｓ5及びデジタル音声信号Ｓ6にそれぞれ分離して、応答信号Ｓ5は制御端末ＣＰＵ３０５に、デジタル音声信号Ｓ6はマルチプレクサ３００に送出するとともに、第２端末符号化信号Ｓ7を構成するＥＣＣスロットＳＬ8に嵌め込まれているエラー訂正符号を抜き出す。
【００４９】
制御端末３の制御端末ＣＰＵ３０５は、制御端末フレーム組立／分解回路３０１を経由して分離された応答信号Ｓ5をもとに、居住者による第２端末２からの応答があることを検出して、受信した応答信号Ｓ5を制御端末フレーム組立／分解回路３０１に送出するとともに、マルチプレクサ３００を制御して、制御端末フレーム組立／分解回路３０１を経由して分離されたデジタル音声信号Ｓ6を当該制御端末フレーム組立／分解回路に送出する。
【００５０】
制御端末３の制御端末フレーム組立／分解回路３０１は、制御端末ＣＰＵ３０５からの応答信号Ｓ5、及びマルチプレクサ３００からのデジタル音声信号Ｓ6をそれぞれ、第１端末伝送路Ｌ1の線路上を伝送させる所定のフレームに組み立てた後、制御端末エラー訂正符号化回路３０２を経由して符号化信号（以下、制御端末下り符号化信号という。）Ｓ8を生成させる。具体的には、図２に示すように分割された８つのスロットを構成する制御データスロットＳＬ1と、映像データスロットＳＬ2と、２つの音声データスロットＳＬ3、ＳＬ4と、ＣＲＣスロットＳＬ5と、３つのＥＣＣスロットＳＬ6、ＳＬ7、ＳＬ8とのうち、制御データスロットＳＬ1には、応答信号Ｓ5を嵌め込む。また、下り方向の音声データスロットＳＬ4には、デジタル音声信号Ｓ6を嵌め込む。また、ＣＲＣスロットＳＬ5には、ＣＲＣのパリティを嵌め込む。さらに、音声データスロットＳＬ4に対応したＥＣＣスロットＳＬ8には、前述の第２端末符号化信号Ｓ7を構成するＥＣＣスロットＳＬ8から抜き出したエラー訂正符号を嵌め込むことにより、フレーム全体のエラー訂正符号の再計算が不要となり、ＥＣＣスロットＳＬ8のみの計算で済むことから、エラー訂正符号の計算を減らすことができ、計算処理の高速化が図られる。この制御端末下り符号化信号Ｓ8は、制御端末エラー訂正符号化回路３０２から制御端末送受信回路３０４、第１端末伝送路Ｌ1、第１端末１の第１端末送受信回路１０９を経由して第１端末エラー訂正復号化回路１０８に伝送される。
【００５１】
第１端末１の第１端末エラー訂正復号化回路１０８は、第１端末伝送路Ｌ1を経由して制御端末３から伝送されてきた制御端末下り符号化信号Ｓ8を構成する制御データスロットＳＬ1に嵌め込まれている応答信号Ｓ5を、ＣＲＣスロットＳＬ5に嵌め込まれているＣＲＣのパリティで復号化するとともに、同様に制御端末下り符号化信号Ｓ8を構成する音声データスロットＳＬ4に嵌め込まれているデジタル音声信号Ｓ6を、ＥＣＣスロットＳＬ8に嵌め込まれているエラー訂正符号で復号化することにより、デジタル音声信号Ｓ6にノイズ等の符号誤りが混入されている場合であっても、その符号誤りを容易に訂正することができる。また、第１端末フレーム組立／分解回路１０６は、第１端末エラー訂正復号化回路１０８を経由して復号化された制御端末下り符号化信号Ｓ8を、応答信号Ｓ5及びデジタル音声信号Ｓ6にそれぞれ分離して、応答信号Ｓ5は第１端末ＣＰＵ１１０に、デジタル音声信号Ｓ6は第１端末音声コーデック１０３に送出する。
【００５２】
第１端末１の第１端末ＣＰＵ１１０は、第１端末フレーム組立／分解回路１０６を経由して分離された応答信号Ｓ5をもとに、居住者による第２端末２からの応答があることを検出して、第１端末音声コーデック１０３が能動（動作開始）となるように制御することにより、デジタル音声信号Ｓ6が第１端末音声コーデック１０３を経由してデジタル／アナログ変換されたアナログ音声信号、すなわち、第２端末２の第２端末マイク２００に入力された居住者の通話音声（受話音声）を第１端末スピーカ１０２から出力させることができる。また、第１端末ＣＰＵ１１０は、第１端末マイク１０１に入力された通話音声（送話音声）を、制御端末３を経由して第２端末２に伝送するに必要とされる制御信号として、通話コマンド、送信元である第１端末１１０を示す送信元アドレス、及び送信先である第２端末２を示す送信先アドレス等を付与した制御信号Ｓ9を生成して、第１端末フレーム組立／分解回路１０６に送出する。
【００５３】
また、前述までの説明では、制御端末３を経由して第２端末２から第１端末１に応答信号Ｓ5及びデジタル映像信号Ｓ6をそれぞれ伝送させるにあたり、同一フレームの符号化信号Ｓ7、Ｓ8を適用したが、この態様に限定されるものではない。例えば、応答信号Ｓ5について符号化させた符号化信号を最初に生成した後、次フレームの符号化信号として、デジタル音声信号Ｓ6について符号化させた符号化信号を生成し、フレーム毎に伝送させることもできる。
【００５４】
一方、来訪者が居住者との間で通話を成立させるにあたり、第１端末１の第１端末マイク１０１に入力した通話音声（送話音声）は、第１端末音声コーデック１０３を経由してデジタル音声信号Ｓ10にアナログ／デジタル変換された後、第１端末フレーム組立／分解回路１０６に送出される。
【００５５】
第１端末１の第１端末フレーム組立／分解回路１０６は、第１端末ＣＰＵ１１０からの制御信号Ｓ9、第１端末音声コーデック１０３からのデジタル音声信号Ｓ10、及び前述の呼出操作時から継続して伝送されてくる映像エンコーダ１０５からのデジタル映像信号Ｓ2をそれぞれ、第１端末伝送路Ｌ1の線路上を伝送させる所定のフレームに組み立てた後、第１端末エラー訂正符号化回路１０７を経由して第１端末符号化信号Ｓ11を生成させる。具体的には、図２に示すように分割された８つのスロットを構成する制御データスロットＳＬ1と、映像データスロットＳＬ2と、２つの音声データスロットＳＬ3、ＳＬ4と、ＣＲＣスロットＳＬ5と、３つのＥＣＣスロットＳＬ6、ＳＬ7、ＳＬ8とのうち、制御データスロットＳＬ1には、制御信号Ｓ9を嵌め込む。また、映像データスロットＳＬ2には、デジタル映像信号Ｓ2を嵌め込む。また、上り方向の音声データスロットＳＬ3には、デジタル音声信号Ｓ10を嵌め込む。また、ＣＲＣスロットＳＬ5には、ＣＲＣのパリティを嵌め込む。さらに、映像データスロットＳＬ2に対応したＥＣＣスロットＳＬ6、及び音声データスロットＳＬ3に対応したＥＣＣスロットＳＬ7にはそれぞれ、エラー訂正符号のパリティを嵌め込む。この第１端末符号化信号Ｓ11は、前述の第１端末符号化信号Ｓ3と同一の信号伝送ラインを経由して制御端末３の制御端末エラー訂正復号化回路３０３に伝送される。
【００５６】
制御端末３の制御端末エラー訂正復号化回路３０３は、第１端末伝送路Ｌ1を経由して第１端末１から伝送されてきた第１端末符号化信号Ｓ11を構成する制御データスロットＳＬ1に嵌め込まれている制御信号Ｓ9を、ＣＲＣスロットＳＬ5に嵌め込まれているＣＲＣのパリティで復号化するとともに、同様に第１端末符号化信号Ｓ11を構成する映像データスロットＳＬ2に嵌め込まれているデジタル映像信号Ｓ2を、ＥＣＣスロットＳＬ6に嵌め込まれているエラー訂正符号で符号化し、さらには、同様に第１端末符号化信号Ｓ11を構成する音声データスロットＳＬ3に嵌め込まれているデジタル映像信号Ｓ10を、ＥＣＣスロットＳＬ7に嵌め込まれているエラー訂正符号で符号化することにより、デジタル映像信号Ｓ2及びデジタル音声信号Ｓ10にそれぞれノイズ等の符号誤りが混入されている場合であっても、その符号誤りを容易に訂正することができる。また、制御端末フレーム組立／分解回路３０１は、制御端末エラー訂正復号化回路３０３を経由して復号化された第１端末符号化信号Ｓ11を、制御信号Ｓ9、デジタル映像信号Ｓ2及びデジタル音声信号Ｓ10にそれぞれ分離して、制御信号Ｓ9は制御端末ＣＰＵ３０５に、デジタル映像信号Ｓ2及びデジタル音声信号Ｓ10はマルチプレクサ３００に送出するとともに、ＥＣＣスロットＳＬ6、ＳＬ7にそれぞれ嵌め込まれているエラー訂正符号を抜き出す。
【００５７】
制御端末３の制御端末ＣＰＵ３０５は、制御端末フレーム組立／分解回路３０１を経由して分離された制御信号Ｓ9を制御端末フレーム組立／分解回路３０１に送出するとともに、マルチプレクサ３００を制御して、制御端末フレーム組立／分解回路３０１を経由して分離されたデジタル映像信号Ｓ2及びデジタル音声信号Ｓ10をそれぞれ、当該制御端末フレーム組立／分解回路に送出する。
【００５８】
制御端末３の制御端末フレーム組立／分解回路３０１は、制御端末ＣＰＵ３０５からの制御信号Ｓ9、及びマルチプレクサ３００からのデジタル映像信号Ｓ2、デジタル音声信号Ｓ10をそれぞれ、第２端末伝送路Ｌ2の線路上を伝送させる所定のフレームに組み立てた後、制御端末エラー訂正符号化回路３０２を経由して制御端末上り符号化信号Ｓ12を生成させる。具体的には、図２に示すように分割された８つのスロットを構成する制御データスロットＳＬ1と、映像データスロットＳＬ2と、２つの音声データスロットＳＬ3、ＳＬ4と、ＣＲＣスロットＳＬ5と、３つのＥＣＣスロットＳＬ6、ＳＬ7、ＳＬ8とのうち、制御データスロットＳＬ1には、制御信号Ｓ9を嵌め込む。また、映像データスロットＳＬ2には、デジタル映像信号Ｓ2を嵌め込む。また、上り方向の音声データスロットＳＬ3には、デジタル音声信号Ｓ10を嵌め込む。また、ＣＲＣスロットＳＬ5には、ＣＲＣのパリティを嵌め込む。また、映像データスロットＳＬ2に対応したＥＣＣスロットＳＬ6には、前述の第１端末符号化信号Ｓ11を構成するＥＣＣスロットＳＬ6から抜き出したエラー訂正符号を嵌め込む。さらに、音声データスロットＳＬ3に対応したＥＣＣスロットＳＬ7には、前述の第１端末符号化信号Ｓ11を構成するＥＣＣスロットＳＬ7から抜き出したエラー訂正符号を嵌め込むことにより、フレーム全体のエラー訂正符号の再計算が不要となり、ＥＣＣスロットＳＬ6、ＳＬ7のみの計算で済むことから、エラー訂正符号の計算を減らすことができ、計算処理の高速化が図られる。この制御端末上り符号化信号Ｓ12は、前述の制御端末上り符号化信号Ｓ4と同一の信号伝送ラインを経由して第２端末２の第２端末エラー訂正復号化回路２０８に伝送される。
【００５９】
第２端末２の第２端末エラー訂正復号化回路２０８は、第２端末伝送路Ｌ2を経由して制御端末３から伝送されてきた制御端末上り符号化信号Ｓ12を構成する制御データスロットＳＬ1に嵌め込まれている制御信号Ｓ9を、ＣＲＣスロットＳＬ5に嵌め込まれているＣＲＣのパリティで復号化するとともに、同様に制御端末上り符号化信号Ｓ12を構成する映像データスロットＳＬ2に嵌め込まれているデジタル映像信号Ｓ2を、ＥＣＣスロットＳＬ6に嵌め込まれているエラー訂正符号で復号化し、さらには、同様に制御端末上り符号化信号Ｓ12を構成する音声データスロットＳＬ3に嵌め込まれているデジタル音声信号Ｓ10を、ＥＣＣスロットＳＬ7に嵌め込まれているエラー訂正符号で復号化することにより、デジタル映像信号Ｓ2及びデジタル音声信号Ｓ10にそれぞれノイズ等の符号誤りが混入されている場合であっても、その符号誤りを容易に訂正することができる。また、第２端末フレーム組立／分解回路２０６は、第２端末エラー訂正復号化回路２０８を経由して復号化された制御端末上り符号化信号Ｓ12を、制御信号Ｓ9、デジタル映像信号Ｓ2及びデジタル音声信号Ｓ10にそれぞれ分離して、制御信号Ｓ9は第２端末ＣＰＵ２１０に、デジタル映像信号Ｓ2は映像デコーダ２０５に、デジタル音声信号Ｓ10は第２端末音声コーデック２０２に送出する。
【００６０】
第２端末２の第２端末ＣＰＵ２１０は、第２端末フレーム組立／分解回路２０６を経由して分離された制御信号Ｓ9をもとに、通話状態であることを検出する。また、映像デコーダ２０５は、第２端末フレーム組立／分解回路２０６を経由して分離されたデジタル映像信号Ｓ2を、デジタル／アナログ変換してモニタ２０４に送出することにより、前述の呼出操作時より第１端末１のカメラ１０４にて撮像されている来訪者の映像や住戸玄関の周囲近傍の映像（監視映像）を、フレーム毎にモニタ２０４に出画させることができる。また、第２端末音声コーデック２０２は、第２端末フレーム組立／分解回路２０６を経由して分離されたデジタル音声信号Ｓ10をデジタル／アナログ変換して第２端末スピーカ２０１に送出することにより、呼出操作を行った来訪者の通話音声（受話音声）を第２端末スピーカ２０１から出力させることができる。
【００６１】
次に、前述までの説明から明らかなように、第１端末１から第２端末２を呼び出して呼出報知する動作、第１端末１のカメラ１０１にて撮像された映像を第２端末２のモニタ２０４に出画させる動作、第１端末１の第１端末マイク１０１、第１端末スピーカ１０２及び第２端末２の第２端末マイク２００、第２端末スピーカ２０１をそれぞれ使用して通話を成立させる動作を、それぞれ制御端末３を経由して行うにあたって、第１端末１及び制御端末３の間を有線接続する第１端末伝送路Ｌ1、第２端末２及び制御端末３の間を優先接続する第２端末伝送路Ｌ2の各伝送路の線路上に同一のデータが連続した場合には、第１端末１を構成する第１端末送受信回路１０９の第１端末符号化器１０９ａ及び第１端末復号化器１０９ｂ、第２端末２を構成する第２端末送受信回路２０９の第２端末符号化器２０９ａ及び第１端末復号化器２０９ｂ、制御端末３を構成する制御端末送受信回路３０４の制御端末符号化器３０４ａ及び制御端末復号化器３０４ｂはそれぞれ、連続データによる直流分の発生を防止させる及びクロックの再生を可能にすることができる。
【００６２】
また、第１端末１を構成する第１端末送受信回路１０９の第１端末符号化器１０９ａ、第２端末２を構成する第２端末送受信回路２０９の第２端末符号化器２０９ａ、及び制御端末３を構成する制御端末送受信回路３０４の制御端末符号化器３０４ａはそれぞれ、４ビットの入力を４ビットの独立したシリアル信号、５ビットの入力を５ビットの独立したシリアル信号及び８ビットの入力を８ビットの独立したシリアル信号のうち、何れかのシリアル信号に割り当てることができ、第１端末符号化器１０９ａ及び第１端末復号化器１０９ｂ、第２端末送受信回路２０９の第２端末符号化器２０９ａ及び第１端末復号化器２０９ｂ、制御端末送受信回路３０４の制御端末符号化器３０４ａ及び制御端末復号化器３０４ｂは、自器が有するインターリーバ機能をもとに、擬似ランダム化によってバースト誤りをランダム誤りに変換することから、第１端末エラー訂正復号化回路１０８、第２端末エラー訂正復号化回路２０８及び制御端末エラー訂正復号化回路３０８にてそれぞれ行われるエラー訂正能力が高められる。
【００６３】
また、本発明の実施例によるインターホン装置においては、当該第１端末が有する機能として、第１端末マイク１０１、第１端末スピーカ１０２及び第１端末音声コーデック１０３にて構成される通話機能、カメラ１０４及び映像エンコーダ１０５にて構成される映像撮像機能がそれぞれ備えられた第１端末１と、当該第２端末が有する機能として、第２端末スピーカ２０１、第２端末マイク２００及び第２端末音声コーデック２０２にて構成される通話機能（通話ボタン２０３を含む。）、モニタ２０４及び映像デコーダ２０５にて構成される映像出画機能がそれぞれ備えられた第２端末２とを有するインターホン装置を適用したが、この態様に限定されるものではない。例えば、前述の通話機能のみを第１端末１及び第２端末２にそれぞれ備えた態様や、前述の映像撮像機能のみを第１端末１に、前述の映像出画機能のみを第２端末２にそれぞれ備えた態様であってもよい。
【００６４】
さらに、本発明の実施例によるインターホン装置においては、第１端末１及び制御端末３の間の接続、第２端末２及び制御端末３の間の接続をそれぞれ、第１端末伝送路Ｌ1、第２端末伝送路Ｌ2を経由して有線接続させたが、この態様に限定されるものではなく、無線接続で構成することもできる。
【００６５】
なお、本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【図面の簡単な説明】
【００６６】
【図１】本発明の実施例によるインターホン装置の具体的な構成を示すブロック図。
【図２】本発明の実施例によるインターホン装置の各伝送路（第１端末伝送路、第２端末伝送路）をそれぞれ経由して送受信される信号のフレーム構成図。
【符号の説明】
【００６７】
１……第１端末
１０１……第１端末マイク
１０２……第１端末スピーカ
１０４……カメラ
１０７……第１端末エラー訂正符号化回路（エラー訂正符号化回路）
１０８……第１端末エラー訂正復号化回路（エラー訂正復号化回路）
１０９ａ……第１端末符号化器（符号化器）
１０９ｂ……第１端末復号化器（復号化器）
２……第２端末
２００……第２端末マイク
２０１……第２端末スピーカ
２０４……モニタ
２０７……第２端末エラー訂正符号化回路（エラー訂正符号化回路）
２０８……第２端末エラー訂正復号化回路（エラー訂正復号化回路）
２０９ａ……第２端末符号化器（符号化器）
２０９ｂ……第２端末復号化器（復号化器）
３……制御端末
３０２……制御端末エラー訂正符号化回路（エラー訂正符号化回路）
３０３……制御端末エラー訂正復号化回路（エラー訂正復号化回路）
３０４ａ……制御端末符号化器（符号化器）
３０４ｂ……制御端末復号化器（復号化器）
Ｌ1……第１端末伝送路
Ｌ2……第２端末伝送路
【図１】
2008011368.tif 000003
【図２】
2008011368.tif 000004